(57)【要約】【課題】小屋裏スペース（小屋裏収納空間）の使い勝手を良好にするとともに、それを安全かつ快適に有効利用することのできる小屋裏収納部付き建物を提供することを目的とする。【解決手段】建物内に小屋裏収納部を設け、この小屋裏収納部の床面から天井面までの高さを１．４ｍ以下であってかつ小屋裏収納部の床面積を設置階の１／２未満の床面積とされた建物において、前記小屋裏収納部の設置階に、小屋裏収納部に続く直階段を備え付ける構造とした。【選択図】　図１
2004044126.tif 000002
【特許請求の範囲】
【請求項１】
建物内に小屋裏収納部を設け、この小屋裏収納部の床面から天井面までの高さを１．４ｍ以下であってかつ小屋裏収納部の床面積を設置階の１／２未満の床面積とされた建物であって、前記小屋裏収納部の設置階には小屋裏収納部に続く直階段が備えられていることを特徴とする小屋裏収納部付き建物。
【請求項２】
請求項１記載の小屋裏収納部付き建物において、小屋裏収納部の外側には勾配屋根が配置され、この勾配屋根の下側は前記設置階に連通する吹抜け空間となっていることを特徴とする小屋裏収納部付き建物。
【請求項３】
請求項２記載の小屋裏収納部付き建物において、設置階には、吹抜け空間との間を仕切る間仕切壁が設けられるとともに、この問仕切壁を挟んで吹抜け空間に面する居間と、小屋裏収納部に面する居室と、前記直階段を備えた階段室とが配置されていることを特徴とする小屋裏収納部付き建物。
【請求項４】
階数３階の建物であって、３階に物品の保管、貯蔵のための小屋裏収納部が設けられ、かつこの小屋裏収納部は、自身の床面から天井面までの高さが１．４ｍ以下であってかつ小屋裏収納部の床面積が２階の１／２未満の床面積とされ、しかも前記小屋裏収納部と２階との間には、小屋裏収納部に続く直階段が設けられていることを特徴とする小屋裏収納部付き建物。
【請求項５】
請求項４記載小屋裏収納部付き建物であって、建物の屋根の形状は勾配屋根であって、この勾配屋根の下側は、２階に連通する吹抜け空間となっていることを特徴とする小屋裏収納部付き建物。
【発明の詳細な説明】
【０００１】
【発明の属する技術分野】
本発現は、建物内に小屋裏収納部を設けた小屋裏収納部付き建物に関する。
【０００２】
【背景の技術】
建物内に小屋裏収納部（小屋裏スペース）を設けた住宅は、従来から広く知られている。　この小屋裏スペースは、例えば上階である二階の天井裏に相当する小屋裏部分に設けられる。この小屋裏スペースは、以下の条件に該当するものについては、建築基準法の規定の適用に当たっては、階とみなさないとされている。
【０００３】
▲１▼　小屋裏スペースの部分の水平投影面積は、直下の階の床面積の１／２以下であること。
▲２▼　小屋裏スペースの天井の最高の高さは１．４ｍ以下であること。
【０００４】
【発明が解決しようとする課題】
ところで、住宅のような建物の設計・建築においては、延べ床面積が問題となることが多い。この問題は、特に、敷地面積に対する建物の建ぺい率や容積率との関係において重要である。
【０００５】
例えば、近年において、３階建ての戸建て住宅の建築も多く見られるが、敷地面積が十分でない場合には、建ぺい率や容積率との関係で床面積を抑制する必要性が生じる。　しかし、可能な限り大きな物置や収納などを建物内に設けることは、建物の使い勝手の点で効果的である。
【０００６】
この点、小屋裏スペースは、上記▲１▼〜▲２▼に該当する場合、階とみなさないため、延べ床面積に算入されない。　したがって、建物内に収納として利用できる大型の物置が存在するものの、実質的に延べ床面積が抑制され、容積率制限等を受けにくい利点が得られる。
【０００７】
しかしながら、この小屋裏スペースの場合、人の出入りや物の出し入れの際に天井が１．　４ｍに設定されているため、通常の大人が作業等を行うには、使い勝手が悪く、効率的に物の出し入れ等を行うことができない問題があった。しかも、従来、この小屋裏スペースに物等を運ぶ場合には、小屋裏スペースに向けて梯子を掛けたり、専用の折畳み階段を設けたりしなければならず、この種の梯子、折畳み階段では、足場が安定せず、小屋裏スペースを荷物の運搬という点で、十分活用できていないという問題点があった。
【０００８】
本発明の課題は、小屋裏スペース（小屋裏収納空間）の使い勝手を良好にするとともに、それを安全かつ快適に有効利用することのできる小屋裏収納部付き建物を提供することにある。
【０００９】
【課題を解決するための手段】
本発明は、建物内に小屋裏収納部を設け、この小屋裏収納部の床面から天井面までの高さを１．　４ｍ以下であってかつ小屋裏収納部の床面積を設置階の１／２未満の床面積とされた建物において、前記小屋裏収納部の設置階に、小屋裏収納部に続く直階段を備え付ける構造とした。
【００１０】
このような発明によれば、小屋裏収納部に直接直階段を使って昇降することができ、　小屋裏収納空間内に出入りおよび荷物の出し入れ作業等を行う際に、効率良くしかも安全に行うことができる。
また、この直階段で出入りする小屋裏収納部は、床面から天井面までの高さが１．４ｍ以下であってかつ小屋裏収納部の床面積を設置階の１／２未満の床面積とされているため、この部分での容積率制限等は受けない。したがって、建物内に大型の収納空間を確保することが可能となり、使い勝手が良好となる。
【００１１】
また、　前記小屋裏収納部の外側に勾配屋根を配置し、この勾配屋根の下側を前記設置階に連通する吹抜け空間とすることが好ましい。このように形成した場合、設置階の一部を勾配天井の吹抜け空間のある居室とすることができ、設置階の間取りを勾配天井の吹抜け空間のある居室部分と、通常の天井高さの居室部分とに区分してめりはりのある間取り空間を設計することができる。
【００１２】
さらに、　前記設置階に、吹抜け空間との間を仕切る間仕切壁を設けるとともに、この間仕切壁を挟んで吹抜け空間に面する居間と、小屋裏収納部に面する居室と、前記直階段を備えた階段室とを配置することが好ましい。このように配置した場合、家族全員が集まるような居間は、天井の高い広々とした吹抜け空間とされ、また、この吹抜け空間は、他の居室部分とは、間仕切壁により仕切られるために、共有スペースとプライベートスペースとが天井高の違いで区分けできる利点もある。
【００１３】
また、本発明では、階数３階の建物であって、３階に物品の保管、貯蔵のための小屋裏収納部を設け、かっこの小屋裏収納部を、自身の床面から天井面までの高さが１．４ｍ以下であってかつ小屋裏収納部の床面積が２階の１／２未満の床面積とし、　しかも前記小屋裏収納部と２階との間に、小屋裏収納部に続く直階段を設ける構造とした。
【００１４】
このような発明によれば、小屋裏収納部と２階との間を、直接直階段を使って昇降することができ、小屋裏収納空間内に出入りおよび荷物の出し入れ作業等を行う際に、効率良くしかも安全に行うことができる。
また、この直階段で出入りする小屋裏収納部は、床面から天井面までの高さが１．４ｍ以下であってかつ小屋裏収納部の床面積を設置階の１／２未満の床面積とされているため、この部分での容積率制限等は受けない。したがって、建物内に大型の収納空間を確保することが可能となり、使い勝手も良好となる。
【００１５】
前記建物の屋根の形状を勾配屋根とし、この勾配屋根の下側を、２階に連通する吹抜け空間とすることが望ましい。このように形成した場合、２階の一部を勾配天井の吹抜け空間のある居室として使用することができ、また、２階の一部の間取りを勾配天井の吹抜け空間のある居室部分として設計することができる。
【００１６】
【発明の実施の形態】
以下、本発明の実施の形態を図面に基づいて説明する。
図１は、本発明にかかる住宅と小屋裏収納空間を示す断面図である。
この実施の形態では、本発明を切り妻屋根の勾配天井を備えた木質パネル住宅に適用した例を示す。
【００１７】
この建物１は、小屋裏収納部（小屋裏収納空間）Ｓを有する切り妻形状の屋根を備えた３階建の戸建て住宅で、１階および２階には、それぞれ１階から２階、２階から小屋裏収納部Ｓにそれぞれつながる直階段２，３が配置されている。
【００１８】
建物１の居住空間は、１階にリビングルーム５，　キツチンルーム６が設けられるとともに、リビングルームに連通して和室７が配置され、また２階には、階段室８を挟んで、左右に寝室９，１０が配置され、さらに、間仕切壁Ｗを挟んで吹抜け空間に面する居間１１が配置されている。
【００１９】
小屋裏収納部Ｓは２階の寝室９，１０のほぼ真上に位置しており、階段室８に配置された作り付けの直階段３により２階との間を行き来できるようになっている。
このため、小屋裏収納部Ｓは直階段３を使って自由に行き来することが可能になって荷物の運搬等の使い勝手が良好となる。
さらに小屋裏収納部Ｓの床２０から天井２１までの高さＨは１．４ｍ以下であってかつ小屋裏収納部の床面積は設置階の１／２未満の床面積に設定されているため、階とみなされず、床面積にも算入されない。したがって、住宅内に大型の収納空間を確保することが可能になり、小屋裏収納部Ｓを有効利用することができる。
【００２０】
また、実施例では、小屋裏収納部Ｓの外側に勾配屋根３０が配置され、この勾配屋根３０の下側は、前記２階に連通する吹抜け空間Ｓ１とされている。より具体的には、２階には、吹抜け空間Ｓ１との間を仕切る間仕切壁Ｗが設けられ、この間仕切壁Ｗを挟んで吹抜け空間に面する居間１１と、天井が小屋裏収納部Ｓとされた寝室９，１０とが配置されている。
【００２１】
さらに、２階には前記居間１１に面してバルコニー１５が設けられ、このバルコニー１５には、２つのサッシ１６，　１６を通って居間より出入りできるようになっている。そして、この２階居間１１の両側には収納部１７，１７が設けられている。
なお、１階の北側には西入りの玄関２５が設けられるとともに、１階階段室２６の奥には、洗面所２７とバスルーム２８とが配置されている。
【００２２】
上記実施例によれば、２階の一部を勾配天井の吹抜け空間Ｓ１のある居間１１とすることができ、２階の間取りを勾配天井の吹抜け空間のある居間１１部分と、通常の天井高さの居室部分（実施例では寝室９，１０）とに区分してめりはりのある間取り空間を設計することができる。
【００２３】
つまり実施例では、前記２階に、吹抜け空間Ｓ１との間を仕切る間仕切壁Ｗを設けるとともに、この間仕切壁Ｗを挟んで吹抜け空間Ｓ１に面する居間１１と、小屋裏収納部に位置して通常天井高の寝室９，１０と、前記直階段３を備えた階段室８とが配置されるため、家族全員が集まるような居間１１は、天井の高い広々とした吹抜け空間Ｓ１となり、また、この吹抜け空間Ｓ１は、他の居室部分（寝室９，１０）とは、間仕切壁Ｗにより仕切られるために、共有スペースとプライベートスペースとが天井高の違いで区分けできるものである。
【００２４】
また、実施例では、階数３階の建物であって、３階に物品の保管、貯蔵のための小屋裏収納部Ｓを設け、かっこの小屋裏収納部Ｓを、自身の床面から天井面までの高さＨが１．４ｍ以下であってかつ小屋裏収納部の床面積が２階の１／２未満の床面積とし、しかも前記小屋裏収納部Ｓと２階との間に、　小屋裏収納部Ｓに続く直階段３を設ける構造としているため、　小屋裏収納部Ｓと２階との間を、直接直階段３を使って昇降することができ、小屋裏収納空間Ｓ内に出入りおよび荷物の出し入れ作業等を行う際に、効率良くしかも安全に行うことができる。
【００２５】
また、この直階段３で出入りする小屋裏収納部Ｓは、床面から天井面までの高さが１．　４ｍ以下であってかつ小屋裏収納部の床面積を設置階の１／２未満の床面積とされているため、この部分での容積率制限等は受けない。したがって、建物内に大型の収納空間を確保することが可能となり、使い勝手も良好となるものである。
【００２６】
なお、上記実施の形態では、本発明を小屋裏収納部Ｓを有する木質パネル住宅に適用した例を示したが、本発明のこのような実施例に限定されるものではなく、　発明の要旨を変更しない限りにおいては、在来軸組の住宅、２Ｘ４住宅、ユニット住宅等種均の工法にも適用できることは言うまでもない。
【００２７】
【発明の効果】
以上のように、本発明によれば、建物内に小屋裏収納部を設け、この小屋裏収納部の床面から天井面までの高さを１．４ｍ以下であってかつ小屋裏収納部の床面積を設置階の１／２未満の床面積とされた建物において、前記小屋裏収納部の設置階に、　小屋裏収納部に続く直階段を備え付ける構造とすることで、小屋裏収納部に直接直階段を使って昇降することが可能になり、　小屋裏収納空間への出入りおよび荷物の出し入れ作業等を行う際に、直階段を使って効率良くしかも安全に行うことができる。
また、この直階段で出入りする小屋裏収納部は、床面から天井面までの高さが１．４ｍ以下であってかつ小屋裏収納部の床面積を設置階の１／２未満の床面積とされているため、この部分での容積率制限等は受けない。したがって、建物内に大型の収納空間を確保することが可能となり、使い勝手が良好となる。
【図面の簡単な説明】
【図１】本発明の実施の形態に係る住宅を示す断面図である。
【図２】本発明の実施の形態に係る住宅の１階を示す平面間取図である。
【図３】本発明の実施の形態に係る住宅の２階を示す平面間取図である。
【図４】本発明の実施の形態に係る住宅の小屋裏収納部を示す平面間取図である。
【符号の説明】
１　　　　建物
２，３　　直階段
５　　　　リビングルーム
６　　　　キツチンルーム
７　　　　和室
８　　　　階段室
９，１０　寝室
１１　　　居間
２０　　　床
２１　　　天井
３０　　　勾配屋根
Ｗ　　　　間仕切壁
Ｓ　　　　小屋裏収納部（小屋裏収納空間）
Ｓ１　　　吹抜け部
【図１】
2004044126.tif 000003
【図２】
2004044126.tif 000004
【図３】
2004044126.tif 000005
【図４】
2004044126.tif 000006